(57)【特許請求の範囲】
【請求項１】
無線通信システムにおける副チャンネルを構成するための方法において、
制御部による制御によって、副チャンネルを構成する資源に対し第１順列を遂行する過程と、
前記制御部による制御によって、前記第１順列を遂行した資源を第１グループと第２グループとに分割する過程と、
前記制御部による制御によって、前記第１グループの資源を利用して第３グループを構成する過程と、
前記制御部による制御によって、前記第２グループの資源に対する第２順列を遂行する過程と、
前記制御部による制御によって、前記第１グループに含まれる資源のうち、前記第３グループを構成した後に残った資源及び前記第２順列を遂行した前記第２グループの資源を利用して第４グループを構成する過程と、を含む方法。
【請求項２】
前記第１順列は、サブバンド単位の順列を含み、
前記第２順列は、資源割り当てユニット単位の順列を含む請求項１に記載の方法。
【請求項３】
前記制御部による制御によって、前記第４グループの資源を利用して第５グループを構成する過程と、
前記制御部による制御によって、前記第４グループに含まれる資源のうち、前記第５グループを構成した後に残った資源に対する第３順列を遂行する過程と、
前記制御部による制御によって、前記第３順列を遂行した資源を利用して第６グループを構成する過程と、を更に含み、
前記第３順列は、トーンペア単位の順列を含み、
前記トーンペアは、連続した２つのトーンを含み、
前記第５グループは、資源割り当てユニット単位のダイバーシティ副チャンネルを含み、
前記第６グループは、トーン単位のダイバーシティ副チャンネルを含む請求項１又は２に記載の方法。
【請求項４】
前記制御部による制御によって、前記第４グループの資源のうち、前記第５グループを構成した後に残った資源に対して第４順列を遂行する過程と、
前記制御部による制御によって、前記第４順列を遂行した資源を利用して第７グループを構成する過程と、を更に含み、
前記第４順列は、タイル単位の順列を含み、
前記第７グループは、タイル単位のダイバーシティ副チャンネルを含む請求項３に記載の方法。
【請求項５】
前記サブバンドは、少なくとも２つの資源割り当てユニットを含む請求項２に記載の方法。
【請求項６】
前記資源割り当てユニットは、１８個の副搬送波と６個のシンボルを含む請求項２に記載の方法。
【請求項７】
前記制御部による制御によって、前記第４グループを周波数再使用係数が１である領域と周波数再使用係数が１より大きい整数値Ｎを有する領域に分割する過程を更に含む請求項１に記載の方法。
【請求項８】
前記制御部による制御によって、前記第４グループの資源のうち、前記周波数再使用係数が１である領域の資源を利用して第５グループを構成する過程を更に含み、
前記第５グループは、資源割り当てユニット単位のダイバーシティ副チャンネルを含む請求項７に記載の方法。
【請求項９】
前記制御部による制御によって、前記周波数再使用係数が１である領域の資源のうち、前記第５グループを構成した後に残った資源に対する第３順列を遂行する過程と、
前記制御部による制御によって、前記第３順列を遂行した資源を利用して第６グループを構成する過程と、を更に含み、
前記第３順列は、トーンペア単位の順列を含み、
前記トーンペアは、連続した２つのトーンを含み、
前記第６グループは、トーン単位のダイバーシティ副チャンネルを含む請求項８に記載の方法。
【請求項１０】
前記制御部による制御によって、前記周波数再使用係数が１である領域の資源のうち、前記第５グループを構成した後に残った資源に対する第４順列を遂行する過程と、
前記制御部による制御によって、前記第４順列を遂行した資源を利用して第７グループを構成する過程と、を更に含み、
前記第４順列は、タイル単位の順列を含み、
前記第７グループは、タイル単位のダイバーシティ副チャンネルを含む請求項８に記載の方法。
【請求項１１】
前記周波数再使用係数がＮである領域は、Ｎ個の周波数再使用グループから構成される請求項７に記載の方法。
【請求項１２】
前記制御部による制御によって、バンド選択副チャンネルを構成するための少なくとも１つの周波数再使用グループを決定する過程と、
前記制御部による制御によって、各々の周波数再使用グループで少なくとも１つのサブバンドを選択してバンド選択副チャンネルを構成する過程と、を更に含む請求項１１に記載の方法。
【請求項１３】
前記制御部による制御によって、前記各々の周波数再使用グループにおいてバンド選択副チャンネルを構成した後に残った資源で少なくとも１つの資源割り当てユニットを選択して各々の周波数再使用グループに対する資源割り当てユニット単位のダイバーシティ副チャンネルを構成する過程を更に含む請求項１２に記載の方法。
【請求項１４】
前記制御部による制御によって、前記各々の周波数再使用グループで資源割り当てユニット単位のダイバーシティ副チャンネルを構成した後に残った資源に対して第５順列を遂行する過程と、
前記制御部による制御によって、前記各々の周波数再使用グループで前記第５順列を遂行した資源を利用してトーン単位のダイバーシティ副チャンネルを構成する過程と、を更に含み、
前記第５順列は、トーン単位の順列を含む請求項１３に記載の方法。
【請求項１５】
前記制御部による制御によって、前記各々の周波数再使用グループで資源割り当てユニット単位のダイバーシティ副チャンネルを構成した後に残った資源に対して第６順列を遂行する過程と、
前記制御部による制御によって、前記各々の周波数再使用グループで前記第６順列を遂行した資源を利用してタイル単位のダイバーシティ副チャンネルを構成する過程と、を更に含み、
前記第６順列は、タイル単位の順列を含む請求項１３に記載の方法。
【請求項１６】
前記第３グループは、バンド選択副チャンネルを含み、
前記第４グループは、ダイバーシティ副チャンネルを含む請求項１に記載の方法。
【請求項１７】
無線通信システムにおける副チャンネルを構成するための装置において、
副チャンネルを構成する資源に対して第１順列を遂行し、前記第１順列を遂行した資源を第１グループと第２グループとに分割する資源割当部と、
前記第１グループの資源を利用して第３グループを構成するバンド選択副チャンネル構成部と、
前記第２グループの資源に対する第２順列を遂行し、前記第１グループに含まれる資源のうち、前記第３グループを構成した後に残った資源及び前記第２順列を遂行した前記第２グループの資源を利用して第４グループを構成するダイバーシティ副チャンネル構成部と、を含む装置。
【請求項１８】
前記第１順列は、サブバンド単位の順列を含み、
前記第２順列は、資源割り当てユニット単位の順列を含む請求項１７に記載の装置。
【請求項１９】
前記ダイバーシティ副チャンネル構成部は、前記第４グループの資源を使用して第５グループを構成し、
前記第４グループに含まれる資源のうち、前記第５グループを構成した後に残った資源に対する第３順列を遂行し、
前記第３順列を遂行した資源を利用して第６グループを構成し、
前記第３順列は、トーンペア単位の順列を含み、
前記トーンペアは、連続した２つのトーンを含み、
前記第５グループは、資源割り当てユニット単位のダイバーシティ副チャンネルを含み、
前記第６グループは、トーン単位のダイバーシティ副チャンネルを含む請求項１７又は１８に記載の装置。
【請求項２０】
前記ダイバーシティ副チャンネル構成部は、前記第４グループの資源のうち、前記第５グループを構成した後に残った資源に対して第４順列を遂行し、
前記第４順列を遂行した資源を利用して第７グループを構成し、
前記第４順列は、タイル単位の順列を含み、
前記第７グループは、タイル単位のダイバーシティ副チャンネルを含む請求項１９に記載の装置。
【請求項２１】
前記サブバンドは、少なくとも２つの資源割り当てユニットを含む請求項１８に記載の装置。
【請求項２２】
前記資源割り当てユニットは、１８個の副搬送波と６個のシンボルを含む請求項１８に記載の装置。
【請求項２３】
前記資源割当部は、前記第４グループを周波数再使用係数が１である領域と周波数再使用係数が１より大きい整数値Ｎを有する領域に分割する請求項１７に記載の装置。
【請求項２４】
前記ダイバーシティ副チャンネル構成部は、前記第４グループの資源のうち、前記周波数再使用係数が１である領域の資源を利用して第５グループを構成し、
前記第５グループは、資源割り当てユニット単位のダイバーシティ副チャンネルを含む請求項２３に記載の装置。
【請求項２５】
前記ダイバーシティ副チャンネル構成部は、前記周波数再使用係数が１である領域の資源のうち、前記第５グループを構成した後に残った資源に対する第３順列を遂行し、
前記第３順列を遂行した資源を利用して第６グループを構成し、
前記第３順列は、トーンペア単位の順列を含み、
前記トーンペアは、連続した２つのトーンを含み、
前記第６グループは、トーン単位のダイバーシティ副チャンネルを含む請求項２４に記載の装置。
【請求項２６】
前記ダイバーシティ副チャンネル構成部は、前記周波数再使用係数が１である領域の資源のうち、前記第５グループを構成した後に残った資源に対する第４順列を遂行する過程と、
前記第４順列を遂行した資源を利用して第７グループを構成する過程と、を更に含み、
前記第４順列は、タイル単位の順列を含み、
前記第７グループは、タイル単位のダイバーシティ副チャンネルを含む請求項２４に記載の装置。
【請求項２７】
前記バンド選択副チャンネル構成部は、バンド選択副チャンネルを構成するための各々の周波数再使用グループを決定し、各々の周波数再使用グループで少なくとも１つのサブバンドを選択してバンド選択副チャンネルを構成し、
前記周波数再使用計数がＮである領域は、Ｎ個の周波数再使用グループを含む請求項２３に記載の装置。
【請求項２８】
前記ダイバーシティ副チャンネル構成部は、前記各々の周波数再使用グループにおいてバンド選択副チャンネルを構成した後に残った資源で少なくとも１つの資源割り当てユニットを選択して各々の周波数再使用グループに対する資源割り当てユニット単位のダイバーシティ副チャンネルを構成する請求項２７に記載の装置。
【請求項２９】
前記ダイバーシティ副チャンネル構成部は、前記各々の周波数再使用グループで資源割り当てユニット単位のダイバーシティ副チャンネルを構成した後に残った資源に対して第５順列を遂行し、
前記各々の周波数再使用グループで前記第５順列を遂行した資源を利用してトーン単位のダイバーシティ副チャンネルを構成し、
前記第５順列は、トーン単位の順列を含む請求項２８に記載の装置。
【請求項３０】
前記ダイバーシティ副チャンネル構成部は、前記各々の周波数再使用グループにおいて資源割り当てユニット単位のダイバーシティ副チャンネルを構成した後に残った資源に対して第６順列を遂行し、
前記各々の周波数再使用グループで前記第６順列を遂行した資源を利用してタイル単位のダイバーシティ副チャンネルを構成し、
前記第６順列は、タイル単位の順列を含む請求項２８に記載の装置。
【請求項３１】
前記第３グループは、バンド選択副チャンネルを含み、
前記第４グループは、ダイバーシティ副チャンネルを含む請求項１７に記載の装置。
【発明の詳細な説明】
【技術分野】
【０００１】
本発明は、無線通信システムにおける副チャンネル構成装置及びその方法に関するもので、特に前記無線通信システムにおいてダイバーシティ副チャンネルを構成するための装置及びその方法に関するものである。
【背景技術】
【０００２】
直交周波数分割多重（ＯＦＤＭ：Ｏｒｔｈｏｇｏｎａｌ  Ｆｒｅｑｕｅｎｃｙ  ＤｉｖｉｓｉｏｎＭｕｌｔｉｐｌｅｘｉｏｎ）方式の無線通信システムは、周波数帯域を副チャンネル（ｓｕｂ−ｃｈａｎｎｅｌ）に分割して、各々の副チャンネルを介してデータを同時に伝送する。
ＯＦＤＭ方式の無線通信システムは、副チャンネルを構成する方式によってバンド（ｂａｎｄ）選択（ｓｅｌｅｃｔｉｏｎ）副チャンネルとダイバーシティ（ｄｉｖｅｒｓｉｔｙ）副チャンネルに区分される。
【０００３】
バンド選択副チャンネルは、バンド内で互いに隣接した副搬送波らから構成されるため、互いに類似したチャンネル状態を有する。従って、端末は各々のバンド選択副チャンネルに適合した適応変調及びコーディング方式を使って伝送容量を極大化させることができる。
ダイバーシティ副チャンネルは、周波数ダイバーシティ利得（ｆｒｅｑｕｅｎｃｙ  ｄｉｖｅｒｓｉｔｙ  ｇａｉｎ）を獲得できるよう、ダイバーシティ副チャンネルを構成する副搬送波が全体の周波数帯域に分散されるように構成する。
【０００４】
上述したように、無線通信システムはチャンネル状態が似ている隣接した副搬送波からバンド選択副チャンネルを構成し、全体周波数帯域に分散された副搬送波からダイバーシティを構成する。これによって、前記バンド選択副チャンネルとダイバーシティ副チャンネルは互いに異なるチャンネル環境に使用される。
従って、無線通信システムはチャンネルの環境によって使用するバンド選択副チャンネルとダイバーシティ副チャンネルを構成するための方法を必要とする。
【発明の概要】
【発明が解決しようとする課題】
【０００５】
本発明の目的は上述した問題点及び／又は短所を解決するためのものであり、後述する長所を提供するためのものである。従って、本発明の目的は、無線通信システムにおけるダイバーシティ副チャンネルとバンド選択副チャンネルを構成するための装置及びその方法を提供することにある。
本発明の他の目的は、無線通信システムにおいて、バンド選択副チャンネルのための資源を割り当てた後に残った資源を利用してダイバーシティ副チャンネルを構成するための装置及びその方法を提供することにある。
本発明の更に他の目的は、無線通信システムにおいて、バンド選択副チャンネルに割り当てたがバンド選択副チャンネルとして使用されなかった資源を、ダイバーシティ副チャンネルを構成するための資源として使用して副チャンネルを構成するための装置及びその方法を提供することにある。
【０００６】
本発明の更に他の目的は、無線通信システムにおいて、ダイバーシティ副チャンネルのために割り当てた資源を周波数の再使用係数別に分割し副チャンネルを構成するための装置及びその方法を提供することにある。
本発明の更に他の目的は、無線通信システムにおいて、ダイバーシティ副チャンネルのために割り当てた資源に対し、資源ユニット単位の順列とトーン／タイル単位の順列を遂行してダイバーシティ副チャンネルを構成するための装置及びその方法を提供することにある。
【課題を解決するための手段】
【０００７】
本発明の目的を達成すべく、本発明の第１態様によれば、無線通信システムにおいて副チャンネルを構成するための方法は、副チャンネルを構成する資源に対しサブバンド単位の順列を遂行する過程と、サブバンド単位の順列を遂行した資源からバンド選択副チャンネルのための資源として少なくとも１つのサブバンドを選択する過程と、バンド選択副チャンネルを構成する場合、前記選択したサブバンドのうち少なくとも１つのサブバンドを利用してバンド選択副チャンネルを構成する過程と、前記バンド選択副チャンネルのための資源として選択されなかった資源に対し資源割り当てユニット単位の順列を遂行する過程と、前記選択したサブバンドのうち、バンド選択副チャンネルを構成した後に残ったサブバンドと資源割り当てユニット単位の順列を遂行した資源の資源割り当てユニットのうち少なくとも１つの資源割り当てユニットを利用して、資源割り当てユニット単位のダイバーシティ副チャンネルを構成する過程と、を含むことを特徴とする。
【０００８】
本発明の第２態様によれば、無線通信システムにおいて副チャンネルを構成するための装置は、副チャンネルを構成する資源に対しサブバンド単位の順列を遂行して、バンド選択副チャンネルのための資源として選択した少なくとも１つのサブバンドのうち少なくとも１つのサブバンドを利用してバンド選択副チャンネルを構成するバンド選択副チャンネル構成部と、前記バンド選択副チャンネルのための資源として選択されなかった資源と前記バンド選択副チャンネルのための資源として選択されたサブバンドのうち、バンド選択副チャンネルを構成した後に残ったサブバンドの資源割り当てユニットを利用して、資源割り当てユニット単位のダイバーシティ副チャンネルを構成するダイバーシティ副チャンネル構成部を含んで構成されることを特徴とする。
【０００９】
本発明の態様、長所、及び核心的な特徴は、添付した図面と共に以下の詳細な説明によって当業者に明確に理解されることになり、本発明の例示的な実施の形態が開示されることとなる。
以下、発明の実施のための具体的な内容を記述する前に、本発明に使用された単語及び句（ｐｈｒａｓｅ）を定義しておくことが有利である：「含む（ｉｎｃｌｕｄｅ）」と「有する（ｃｏｍｐｒｉｓｅ）」のような意味の単語は制限なく含むことを表し、「又は（ｏｒ）」は及び／又はの意味を含み、「関連する（ａｓｓｏｃｉａｔｅｄ  ｗｉｔｈ）」と「ａｓｓｏｃｉａｔｅｄ  ｔｈｅｒｅｗｉｔｈ」のような句は、「ｉｎｃｌｕｄｅ」、「ｂｅ ｉｎｃｌｕｄｅｄ  ｗｉｔｈｉｎ」、「ｉｎｔｅｒｃｏｎｎｅｃｔ  ｗｉｔｈ」、「ｃｏｎｔａｉｎ」、「ｂｅ  ｃｏｎｔａｉｎｅｄ  ｗｉｔｈｉｎ」、「ｃｏｎｎｅｃｔ  ｔｏ  ｏｒ  ｗｉｔｈ」、「ｃｏｕｐｌｅ  ｔｏ  ｏｒ  ｗｉｔｈ」、「ｂｅ  ｃｏｍｍｕｎｉｃａｂｌｅ  ｗｉｔｈ」、「ｃｏｏｐｅｒａｔｅ  ｗｉｔｈ」、「ｉｎｔｅｒｌｅａｖｅ」、「ｊｕｘｔａｐｏｓｅ」、「ｂｅ  ｐｒｏｘｉｍａｔｅ  ｔｏ」、「ｂｅ  ｂｏｕｎｄ  ｔｏ  ｏｒ  ｗｉｔｈ」、「ｈａｖｅ」及び「ｈａｖｅ  ａ  ｐｒｏｐｅｒｔｙ  ｏｆ」などの意味を含み、「制御部（ｃｏｎｔｒｏｌｌｅｒ）」は装置（ｄｅｖｉｃｅ）、少なくとも１つの運営制御のためのシステム又はシステムの一部、ハードウェアで遂行される装置、ファームウェア又はソフトウェア及び上述した機能のうち少なくとも２つの組み合わせを意味する。特定のｃｏｎｔｒｏｌｌｅｒと連合された機能は、近さまたは遠さによって中央的又は分散的になり得る。上述したように定義される単語及び句は、本発明全般にわたって提供されるものであり、当業者が理解できるものであるべきであり、殆どの例には該当しないが、以前定義された意味を含むこともある。
【図面の簡単な説明】
【００１０】
【図１】本発明による無線通信システムのフレーム構成を示す図である。
【図２】本発明の実施の形態による無線通信システムの副チャンネルの構造を示す図である。
【図３】本発明の実施の形態による無線通信システムにおけるダイバーシティ副チャンネルを構成するための手順を示す図である。
【図４】本発明の実施の形態による無線通信システムのダイバーシティ副チャンネルにおいて、トーン単位の順列のための資源ユニットの構造を示す図である。
【図５】本発明の他の実施の形態による無線通信システムのダイバーシティ副チャンネルにおいて、トーン単位の順列のための資源ユニットの構造を示す図である。
【図６】本発明の実施の形態による無線通信システムのダイバーシティ副チャンネルにおいて、タイル単位の順列のための資源ユニットの構造を示す図である。
【図７】本発明による無線通信システムにおいて、副チャンネルを構成するための基地局のブロック構成を示す図である。
【図８】本発明の他の実施の形態による無線移通信システムの副チャンネルの構造を示す図である。
【図９】本発明の更に他の実施の形態による無線通信システムの副チャンネルの構造を示す図である。
【発明を実施するための形態】
【００１１】
本明細書とその利点を理解するために、添付した図面と併せて以下の記載への参照がなされる。添付した図面において、同様の参照符号は、同様の部分を表す。
【００１２】
以下、図１乃至図９を参照し本発明の動作の原理を詳細に説明する。下記で本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザー、操作者の意図又は慣例などによって変わり得る。従って、その定義は、本明細書全般に亘る内容に基づいて行わなければならない。
以下、本発明の好ましい実施の形態を添付された図面を参照して詳細に説明する。そして、本発明を説明するに当たって、関連した公知の機能又は構成についての具体的な説明が本発明の要旨を不明確にする恐れがあると判断される場合には、その詳細な説明は省略する。
【００１３】
以下、本発明は、無線通信システムにおける副チャンネルを構成するための技術について説明する。つまり、無線通信システムにおけるダイバーシティ副チャンネルとバンド選択副チャンネルを構成するための技術について説明する。
以下の説明において、無線通信システムは直交周波数分割多重方式を使用すると仮定して説明する。
また、以下の説明において、無線通信システムは下記図１に図示されたように構成されるフレームを利用して通信を遂行すると仮定して説明する。
【００１４】
図１は、本発明による無線通信システムにおけるフレーム構成を示す図である。
前記図１に図示されているように、スーパーフレーム１００は、多数個のフレーム１１０、１２０、１３０、１４０から構成される。この際、１つのフレーム１１０又は１２０又は１３０又は１４０は、多数個の小型フレーム１５０から構成される。この際、１つの小型フレーム１５０は多数個のシンボルによって構成される。例えば、スーパーフレーム１００は４つのフレーム１１０、１２０、１３０、１４０から構成され、１つのフレーム１１０又は１２０又は１３０又は１４０は８つの小型フレーム１５０から構成される。また、１つの小型フレームは６つのＯＦＤＭシンボルから構成される。
【００１５】
前記スーパーフレーム１００は、１つ以上のシンボルで設計されることができるスーパーフレームヘッダー１０１を含む。この際、前記スーパーフレームヘッダー１０１はプリアンブルと放送情報チャンネル（ＢＣＨ：Ｂｒｏａｄｃａｓｔ  Ｃｈａｎｎｅｌ）などの情報を含み、各スーパーフレームごとに伝送される。ここで、前記プリアンブルはシステムの同期情報と識別者情報を含む。従って、端末は前記プリアンブルを介してシステムの同期化及び現在接続している基地局を識別することができる。また、前記放送情報チャンネルはＤＣＤ（Ｄｏｗｎｌｉｎｋ  Ｃｈａｎｎｅｌ  Ｄｅｓｃｒｉｐｔｏｒ）とＵＣＤ（Ｕｐｌｉｎｋ  Ｃｈａｎｎｅｌ  Ｄｅｓｃｒｉｐｔｏｒ）が含んでいる情報のうち、短い周期に変更される制御情報と副チャンネル構成情報を含む。この際、前記放送情報チャンネルの周期は、前記放送情報チャンネルが含む制御情報によってスーパーフレーム１００の長さの倍数に決定される。ここで、前記副チャンネル構成情報は、ＦＦＲの割合情報とバンド選択副チャンネルを構成するＰＲＵの個数情報を含む。
【００１６】
また、フレームは、連続した多数個の副フレームからダウンリンクの副フレームとアップリンクの副フレームを構成する。
上述したように、無線通信システムはフレームを階層的に構成し、小型フレームを資源ユニット（ＲＵ：Ｒｅｓｏｕｒｃｅ  Ｕｎｉｔ）で構成する。ここで、前記資源ユニットは資源を割り当てる基本単位を示す。例えば、前記無線通信システムは、周波数軸に１８個の連続した副搬送波と時間軸に６個の連続したシンボルから資源ユニットを構成する。この際、前記資源ユニットは各々のアンテナによるパイロットトーンを含む。
【００１７】
無線通信システムは、周波数再使用技術の短所を克服するため、部分周波数再使用（ＦＦＲ：Ｆｒａｃｔｉｏｎａｌ  Ｆｒｅｑｕｅｎｃｙ  Ｒｅｕｓｅ）技術を使用する。
ＦＦＲ技術を使用する場合、無線通信システムは全体の周波数帯域を周波数再使用係数がＮである領域のための資源と周波数再使用係数が１である領域の資源に分割する。従って、前記無線通信システムは、下記図２に示されたように副チャンネルを構成することができる。ここで、前記周波数再使用係数がＮである領域は、前記ＦＦＲ技術が適用される資源領域を意味し、前記周波数再使用係数が１である領域は前記ＦＦＲ技術が適用されない資源領域を意味する。
【００１８】
以下の説明で、無線通信システムは副チャンネルを生成するための基本単位としてＰＲＵ（Ｐｈｙｓｉｃａｌ  Ｒｅｓｏｕｒｃｅ  Ｕｎｉｔ）を使用すると仮定する。ここで、前記ＰＲＵは、周波数資源と時間資源を軸に多数個の副搬送波の束から構成されるタイルを意味する。
また、以下の説明で、無線通信システムはサブバンド（Ｓｕｂ ｂａｎｄ）単位でバンド選択副チャンネルを運用し、端末らはサブバンド単位でチャンネル特性をフィードバックする。ここで、前記サブバンドは物理的に隣接した多数個のＰＲＵの集合を意味する。
【００１９】
図２は、本発明の実施の形態による無線通信システムの副チャンネルの構造を示す図である。
前記図２を参照すると、前記図２の（ａ）に示されたように、物理チャンネルの全体の周波数帯域は多数個のＰＲＵで構成される。この際、隣接した多数個のＰＲＵは１つのサブバンドに構成される。
【００２０】
副チャンネルを構成する場合、基地局は前記図２の（ｂ）に示されたように、全体の周波数資源から周波数再使用係数がＮである領域２００に割り当てるＰＲＵらを選択する。この際、前記基地局はＦＦＲの割合によって周波数再使用係数がＮである領域２００に割り当てるＰＲＵらを選択する。
この後、前記基地局は周波数再使用係数がＮである領域２００に割り当てた後に残ったＰＲＵらから、周波数再使用係数が１である領域２１０のバンド選択副チャンネル２１１のためのＰＲＵらを選択する。この際、前記基地局は前記割り当てた後に残ったＰＲＵらを、前記周波数再使用係数が１である領域２１０のダイバーシティ副チャンネル２１３のためのＰＲＵらに割り当てる。
【００２１】
まず、周波数再使用係数がＮである領域２００の副チャンネルを構成する場合、前記基地局は周波数再使用係数がＮである領域２００に割り当てたＰＲＵらをＰＲＵ単位の順列によってランダムに混ぜる。
この後、前記基地局は、前記図２の（ｃ）に示されたように、周波数再使用係数がＮである領域２００の資源を分割してＮ個の周波数再使用グループを生成する。例えば、周波数再使用係数が３である場合、前記基地局は周波数再使用係数がＮである領域２００の資源を分割して３つの周波数再使用グループ２０１、２０２、２０３を生成する。
【００２２】
前記図２の（ｃ）に示されたように、ＰＲＵらに対する周波数再使用グループを生成した後、前記基地局は前記図２の（ｄ）に示されたように各々の周波数再使用グループ別にバンド選択副チャンネルのためのＰＲＵらを選択し、バンド選択副チャンネルを構成する。この後、前記基地局は、各々の周波数再使用グループ別にバンド選択副チャンネルに割り当てた後に残ったＰＲＵらをダイバーシティ副チャンネルのためのＰＲＵとして割り当てる。この際、前記基地局はダイバーシティ副チャンネルの構成方式によってダイバーシティ副チャンネルに割り当てたＰＲＵらからトーン単位又はタイル単位のダイバーシティ副チャンネルを構成するためのＰＲＵらを選択することができる。もし、トーン単位のダイバーシティ副チャンネルを構成するためのＰＲＵらを選択した場合、前記基地局はトーン単位のダイバーシティ副チャンネルを構成するために選択されたＰＲＵらに対するトーン単位の順列を遂行して、トーン単位のダイバーシティ副チャンネルを構成する。ここで、各々の周波数再使用グループは、ダイバーシティの資源割り当て方式を異なるように適用するために、互いに区別される順列を適用することができる。
【００２３】
一方、タイル単位のダイバーシティ副チャンネルを構成するためのＰＲＵらを選択した場合、前記基地局はタイル単位のダイバーシティ副チャンネルを構成するために選択したＰＲＵらに対するタイル単位の順列を遂行して、タイル単位のダイバーシティ副チャンネルを構成する。ここで、各々の周波数再使用グループは、ダイバーシティの資源割り当て方式を異なるように適用するために、互いに区別される順列を適用することができる。
【００２４】
次に、周波数再使用係数が１である領域２１０の副チャンネルを構成する場合、前記基地局は、前記図２の（ｂ）でバンド選択副チャンネルのために割り当てられたＰＲＵらから周波数再使用係数が１である領域２１０のバンド選択副チャンネル２１１を構成する。
また、前記基地局は、前記図２の（ｂ）から周波数再使用係数がＮである領域２００と周波数再使用係数が１である領域２１０のバンド選択副チャンネル２１１に割り当てた後に残ったＰＲＵに対する順列の使用を介して、周波数再使用の係数が１である領域２１０のダイバーシティ副チャンネル２１３を構成する。この際、前記周波数再使用の係数が１である領域２１０を使用するセル又はセクタらは互いに異なる方式の順列を使用してダイバーシティ副チャンネル２１３を構成する。
【００２５】
以下の説明は、前記図２に示されたようなダイバーシティ副チャンネルを構成するための方法についての説明である。
図３は、本発明の他の実施の形態による無線通信システムにおけるダイバーシティ副チャンネルを構成するための手順を示す図である。
前記図３を参照すると、基地局はステップ３０１でダイバーシティ副チャンネルを構成するかを確認する。
【００２６】
もし、ダイバーシティ副チャンネルを構成する場合、基地局はステップ３０３に進行してダイバーシティ副チャンネルを構成するための資源を確認する。例えば、周波数再使用係数が１である領域のダイバーシティ副チャンネルを構成する場合、前記基地局は周波数再使用係数がＮである領域と周波数再使用係数が１である領域のバンド選択副チャンネルのために割り当てた後に残ったＰＲＵらを確認する。
前記ダイバーシティ副チャンネルを構成するための資源を確認した後、前記基地局はステップ３０５に進行し前記ステップ３０３で確認した資源に対するＰＲＵ単位の順列を遂行する。例えば、前記基地局は前記図２の（ｂ）に示されたダイバーシティ副チャンネル領域２１３に割り当てられたＰＲＵらを、ＰＲＵ単位の順列によってランダムに混ぜる。
この後、前記基地局はステップ３０７に進行し、トーン単位とタイル単位のうち少なくとも１つのダイバーシティ副チャンネルを構成するための資源を決定する。
【００２７】
前記トーン単位のダイバーシティ副チャンネル又はタイル単位のダイバーシティ副チャンネルを構成するための資源を決定した後、前記基地局はステップ３０９に進行し前記トーン単位又はタイル単位のダイバーシティ副チャンネルを構成するための資源に対するトーン単位の順列又はタイル単位の順列を遂行する。例えば、前記基地局は、前記図２の（ｃ）に示されたように、ＰＲＵ単位のダイバーシティ副チャンネルのために割り当てた後に残ったＰＲＵらに対しトーンに基づいた順列を遂行し、トーン単位のダイバーシティ副チャンネルを構成する。他の例を挙げると、前記基地局は、前記図２の（ｃ）に示されたように、ＰＲＵ単位のダイバーシティ副チャンネルのために割り当てた後に残ったＰＲＵらに対しタイルに基づいた順列を遂行し、タイル単位のダイバーシティ副チャンネルを構成する。
この後、前記基地局は本アルゴリズムを終了する。
【００２８】
上述したように、基地局はＰＲＵ単位の順列を遂行した後、トーン単位の順列を追加に遂行してトーン単位のダイバーシティ副チャンネルを構成するか、タイル単位の順列を追加に遂行してタイル単位のダイバーシティ副チャンネルを構成する。
この際、前記基地局は隣接した２つのトーンから構成されたトーンペア（ｔｏｎｅ  ｐａｉｒ）を基本単位にしてトーン単位の順列を遂行する。ここで、前記トーンペアは１つのＰＲＵ内で隣接した２つのトーンから構成される集合を意味する。この際、前記基地局はＰＲＵに含まれるパイロットの位置を考慮してトーンペアを構成することができる。例えば、ＰＲＵ内に１２個のパイロットトーンが位置する場合、前記基地局は下記図４に示されたようにトーンペアを構成することができる。
【００２９】
図４は、本発明の実施の形態による無線通信システムにおけるダイバーシティ副チャンネルにおいて、トーン単位の順列のための資源ユニットの構造を示している。
前記図４を参照すると、前記図４の（ａ）は均衡的（ｒｅｇｕｌａｒ）に構成されたＰＲＵを示しており、前記図４の（ｂ）は不均衡（ｉｒｒｅｇｕｌａｒ）に構成されるＰＲＵを示している。
前記図４の（ａ）に示されたように、前記基地局は周波数軸に隣接した２つのデータトーンを１つのトーンペアに構成し、順に４８個のトーンペアを構成する。この際、前記基地局は周波数軸を優先的にトーンペアのインデックスを順に与える。
前記図４の（ｂ）に示されたように、ＰＲＵを構成する最後のシンボルを利用してデータを伝送できない場合、前記基地局は周波数軸に隣接した２つのデータトーンを１つのトーンペアに構成し、順に４０個のトーンペアを構成する。この際、前記基地局は周波数軸を優先的にトーンペアのインデックスを順に与える。
【００３０】
一方、ＰＲＵ内に１８個のパイロットトーンが位置する場合、前記基地局は下記図５に示されたようにトーンペアを構成する。
図５は、本発明の他の実施の形態による無線通信システムにおけるダイバーシティ副チャンネルにおいて、トーン単位の順列のための資源ユニットの構造を示す図である。
前記図５を参照すると、前記図５の（ａ）は均衡的に構成されたＰＲＵを示しており、前記図５の（ｂ）は不均衡に構成されるＰＲＵを示している。
前記図５の（ａ）に示されたように、前記基地局は周波数軸に隣接した２つのデータトーンを１つのトーンペアに構成して順に４６個のトーンペアを構成する。この際、前記基地局は周波数軸を優先的にトーンペアのインデックスを順に与える。
【００３１】
前記図５の（ｂ）に示されたように、ＰＲＵを構成する最後のシンボルを利用してデータを伝送できない場合、前記基地局は周波数軸に隣接した２つのデータトーンを１つのトーンペアに構成して順に３９個のトーンペアを構成する。この際、前記基地局は周波数軸を優先的にトーンペアのインデックスを順に与える。
前記図５の（ａ）と（ｂ）に示されたように、ＰＲＵにおいて３番目のシンボルと４番目のシンボルにのみパイロットが存在しないため、前記３番目のシンボルと４番目のシンボルは他のシンボルよりデータトーンの個数が多い。従って、前記基地局は各々のシンボルが同じ個数のトーンペアを有するように順にインデックスを割り当てる。この後、前記基地局は３番目のシンボルと４番目のシンボルの残りのトーンペアに対して追加的にインデックスを与える。この際、前記基地局はインデックスを追加的に与えられたトーンペアが隣接しないようにランダムに位置づける。
【００３２】
上述したようにトーンペアを構成する場合、基地局は周波数軸にトーンペアをインデックシングすることができる。
他の例を挙げると、基地局はトーン単位ダイバーシティ副チャンネルに割り当てられたＮｔｏｎｅ個のＰＲＵらに対し、時間軸と周波数軸に循環シフト（Ｃｙｃｌｉｃ Ｓｈｉｆｔ）を遂行してトーンペアをインデックシングすることもできる。
更に他の例を挙げると、基地局はトーン単位のダイバーシティ副チャンネルに割り当てられたＮｔｏｎｅ個のＰＲＵから構成される各々のＯＦＤＭＡシンボルに対し、周波数軸にトーンペアを優先的にインデックシングすることもできる。つまり、基地局はｌ番目のＯＦＤＭＡシンボルに対する全てのトーンペアを周波数軸に優先してインデックシングすることもできる。
【００３３】
トーンペアをインデックシングした後、基地局はトーンペアのインデックスによって順次にトーン単位のダイバーシティ副チャンネルに割り当てられたＰＲＵの個数と同じ個数のトーンペアをグルーピングする。この後、前記基地局はＮｔｏｎｅの長さのランダムシーケンスを生成する。例えば、前記基地局はトーン単位ダイバーシティ副チャンネルに割り当てられたＰＲＵの個数と下記＜数式１＞のようなＳＥＥＤを利用しランダムシーケンスを生成する。
【００３４】
【数１】
0005529763.tif 000002
【００３５】
前記ＩＤｃｅｌｌはセル又はセクタの識別者を示しており、前記ｍは副フレームのインデックスを示している。ここで、前記ＩＤｃｅｌｌが０から１０２３まで設定されると仮定するので、前記＜数式１＞で１０２４値を使用する。
他の例を挙げると、前記基地局はトーン単位のダイバーシティ副チャンネルに割り当てられたＰＲＵの個数と下記<数式２＞のようなＳＥＥＤを利用してランダムシーケンスを生成することもできる。
【００３６】
【数２】
0005529763.tif 000003
【００３７】
前記ＩＤｃｅｌｌはセル又はセクタの識別者を示す。
ランダムシーケンスを生成した後、前記基地局はランダムシーケンスを利用してトーン単位のダイバーシティ副チャンネルのｓ番目のＤＲＵ（Ｄｉｖｅｒｓｉｔｙ  Ｒｅｓｏｕｒｃｅ Ｕｎｉｔ）を構成するｌ番目のＯＦＤＭＡシンボルのｋ番目のトーンペアに割り当てるトーンペアインデックスを選択する。例えば、基地局は下記＜数式３＞を利用してｓ番目のＤＲＵを構成するｌ番目のＯＦＤＭＡシンボルのｋ番目のトーンペアに割り当てるトーンペアインデックスを選択する。
【００３８】
【数３】
0005529763.tif 000004
【００３９】
ここで、前記ｔｏｎｅ＿ｐａｉｒ（ｓ，ｋ）はトーン単位のダイバーシティ副チャンネルのｓ番目のＤＲＵを構成するｌ番目のＯＦＤＭＡシンボルのｋ番目のトーンペアに割り当てるトーンペアインデックスを示しており、前記Ｎｔｏｎｅはトーン単位のダイバーシティ副チャンネルに割り当てられたＰＲＵの個数を示しており、前記ｓはトーン単位のダイバーシティ副チャンネルを構成するＤＲＵらのインデックスを示しており、前記ｋは１つのＤＲＵを構成するトーンペアのインデックスを示しており、前記ｎｋ，ｌはグルーピングされたトーンペアを選択するためのインデックスを示している。また、前記Ｐｓ［ｅ］はＮｔｏｎｅの長さのシーケンスに対し、ｓ回の循環シフトを行った後のｅ番目の元素を示している。ここで、ＯＦＤＭＡシンボルインデックスｌは、トーンペアインデックスｋ値の範囲によって分かる。また、前記１０７は他の整数（ｉｎｔｅｇｅｒ  ｎｕｍｂｅｒ）を使用することもできる。
【００４０】
前記＜数式３＞の
【数４】
0005529763.tif 000005
は、グルーピングされたトーンペアをインデックシングするための数式を示している。また、
【数５】
0005529763.tif 000006
はトーン単位のダイバーシティ副チャンネルのｓ番目のＤＲＵを構成するｌ番目のＯＦＤＭＡシンボルのｋ番目のトーンペアに割り当てるトーンペアインデックスを選択するための数式を示している。
この際、前記基地局は、前記
【数６】
0005529763.tif 000007
を利用してランダムシーケンスから任意の元素を選択する。この後、前記基地局は前記選択した元素によって選択されるトーンペアインデックスをｓ番目のＤＲＵに含まれるｋ番目のトーンペアであると決定する。
他の例を挙げると、基地局は下記＜数式４＞を利用してｓ番目のＤＲＵを構成するｌ番目のＯＦＤＭＡシンボルのｋ番目のトーンペアに割り当てるトーンペアインデックスを選択することもできる。
【００４１】
【数７】
0005529763.tif 000008
【００４２】
ここで、前記ｔｏｎｅ＿ｐａｉｒ（ｓ，ｋ）は、トーン単位のダイバーシティ副チャンネルのｓ番目のＤＲＵを構成するｌ番目のＯＦＤＭＡシンボルのｋ番目のトーンペアに割り当てるトーンペアインデックスを示しており、前記Ｎｔｏｎｅはトーン単位のダイバーシティ副チャンネルに割り当てられたＰＲＵの個数を示しており、前記ｓはトーン単位のダイバーシティ副チャンネルを構成するＤＲＵらのインデックスを示しており、前記ｋは１つのＤＲＵを構成するトーンペアのインデックスを示しており、前記ｎｋ，ｌはグルーピングされたトーンペアを選択するためのインデックスを示している。また、前記Ｐｓ［ｅ］はＮｔｏｎｅの長さのシーケンスに対し、ｓ回の循環シーケンスを行った後のｅ番目の元素を示している。ここで、ＯＦＤＭＡシンボルインデックスｌは、トーンペアインデックスｋ値の範囲によって分かる。また、前記１０７は他の整数を使用することもできる。
【００４３】
前記＜数式４＞の
【数８】
0005529763.tif 000009
は、トーンペアをインデックシングするための数式を示している。また、
【数９】
0005529763.tif 000010
はトーン単位のダイバーシティ副チャンネルのｓ番目のＤＲＵを構成するｌ番目のＯＦＤＭＡシンボルのｋ番目のトーンペアに割り当てるトーンペアインデックスを選択するための数式を示している。
上述したように、基地局は前記＜数式４＞の
【数１０】
0005529763.tif 000011
を利用してランダムシーケンスから任意の元素を選択する。この後、前記基地局は、前記選択した元素によって選択されるトーンペアインデックスをｓ番目のＤＲＵを構成するｋ番目のトーンペアであると決定する。
前記＜数式３＞と前記＜数式４＞において、トーンペアを選択するためのＰＲＵのインデックスｎｋ，ｌは下記＜数式５＞のように算出する。
【００４４】
【数１１】
0005529763.tif 000012
【００４５】
ここで、前記ｎｋ，ｌはグルーピングされたトーンペアを選択するためのインデックスを示しており、前記ｓはトーン単位のダイバーシティ副チャンネルを構成するＤＲＵらのインデックスを示しており、前記ｋは１つのＤＲＵを構成するトーンペアのインデックスを示しており、前記
【数１２】
0005529763.tif 000013
は１つのＰＲＵにおいてｌ番目のＯＦＤＭＡシンボルを構成するトーンペアの個数を示している。
【００４６】
上述した実施の形態において、基地局はトーン単位の順列を介してトーン単位のダイバーシティ副チャンネルを構成する。
他の実施の形態において、基地局はタイル単位の順列を介してタイル単位のダイバーシティ副チャンネルを構成することもできる。ここで、前記タイルはタイル単位のダイバーシティ副チャンネルを構成するための最小単位を示している。
この際、前記タイルは下記図６に示されたように構成される。
【００４７】
図６は、本発明の実施の形態による無線通信システムにおけるダイバーシティ副チャンネルにおいて、タイル単位の順列のための資源ユニットの構造を示した図である。
前記図６に示されたように、１つのタイルは周波数軸に６つの連続した副搬送波と、時間軸に６つの連続したシンボルから構成される。
上述したように構成されるタイル単位でダイバーシティ副チャンネルを構成する場合、基地局はランダムシーケンスを利用してタイル単位のダイバーシティ副チャンネルのｓ番目のＤＲＵを構成するｋ番目のタイルを選択する。例えば、基地局は下記＜数式６＞を利用してｓ番目のＤＲＵを構成するｋ番目のタイルに該当するインデックスを選択する。
【００４８】
【数１３】
0005529763.tif 000014
【００４９】
ここで、前記Ｔｉｌｅ（ｓ，ｋ）はタイル単位のダイバーシティ副チャンネルに対するｓ番目のＤＲＵを構成するｋ番目のタイルに割り当てるインデックスを示しており、前記ＬＤＲＵはタイル単位のダイバーシティ副チャンネルに割り当てられたＰＲＵの個数を示しており、前記ｓはタイル単位のダイバーシティ副チャンネルを構成するＤＲＵらのインデックスを示しており、前記ｋは１つのＤＲＵを構成するタイルインデックスを示している。また、前記Ｐｓ［ｅ］はＬＤＲＵの長さのシーケンスに対しｓ回の循環シフトを行った後のｅ番目の元素を示している。
他の例を挙げると、基地局は下記＜数式７＞を利用してｓ番目のＤＲＵを構成するｋ番目のタイルに該当するインデックスを選択することもできる。
【００５０】
【数１４】
0005529763.tif 000015
【００５１】
ここで、前記Ｔｉｌｅ（ｓ，ｋ）はタイル単位のダイバーシティ副チャンネルに対するｓ番目のＤＲＵを構成するｋ番目のタイルに割り当てるインデックスを示しており、前記ＬＤＲＵはタイル単位のダイバーシティ副チャンネルに割り当てられたＰＲＵの個数を示しており、前記ｓはタイル単位のダイバーシティ副チャンネルを構成するＤＲＵらのインデックスを示しており、前記ｋは１つのＤＲＵを構成するタイルインデックスを示しており、前記ＵＬ＿ＰｅｒｍＢａｓｅは基地局固有のセルのＩＤ番号又はセクタのＩＤを示している。また、前記Ｐｓ［ｅ］はＬＤＲＵの長さのシーケンスに対しｓ回の循環シフトを行った後のｅ番目の元素を示している。
他の例を挙げると、基地局は下記＜数式８＞を利用し、ｓ番目のＤＲＵを構成するｋ番目のタイルに該当するインデックスを選択することもできる。
【００５２】
【数１５】
0005529763.tif 000016
【００５３】
ここで、前記Ｔｉｌｅ（ｓ，ｋ）はタイル単位のダイバーシティ副チャンネルに対するｓ番目のＤＲＵを構成するｋ番目のタイルに割り当てるインデックスを示しており、前記ＬＤＲＵはタイル単位のダイバーシティ副チャンネルに割り当てられたＰＲＵの個数を示しており、前記ｓはタイル単位のダイバーシティ副チャンネルを構成するＤＲＵらのインデックスを示しており、前記ｋは１つのＤＲＵを構成するタイルインデックスを示しており、前記ｔは副フレームのインデックスを示しており、前記ＵＬ＿ＰｅｒｍＢａｓｅは基地局固有のセルのＩＤ番号又はセクタのＩＤを示している。また、前記Ｐ［ｅ］はＬＤＲＵの長さを有するシーケンスのｅ番目の元素を示しており、前記ａは任意の素数（Ｐｒｉｍｅ ｎｕｍｂｅｒ）を示している。
前記＜数式６＞と前記＜数式７＞及び前記＜数式８＞で使用されたｆ（ｓ，ｋ）は、下記＜数式９＞のように定義される。
【００５４】
【数１６】
0005529763.tif 000017
【００５５】
ここで、前記ｓはタイル単位のダイバーシティ副チャンネルを構成するＤＲＵらのインデックスを示しており、前記ｋは１つのＤＲＵを構成するタイルのインデックスを示している。
以下の説明は、副チャンネルを構成するための基地局の構成についての説明である。
図７は、本発明の他の実施例による無線通信システムにおけるダイバーシティ副チャンネルを構成するための基地局のブロック構成図である。
前記図７に示されたように、前記基地局はデュプレクサ７００、受信機７１０、制御部７２０及び送信機７３０を含んで構成される。
前記デュプレクサ７００は、デュプレクシング方式によって前記受信機７３０から提供された送信信号をアンテナを介して送信し、アンテナからの受信信号を受信機７１０に提供する。
【００５６】
前記受信機７１０は、ＲＦ処理機７１１、アナログ／デジタル変換機７１３、ＯＦＤＭ復調機７１５及び復号器７１７を含んで構成される。
前記ＲＦ処理機７１１は、前記デュプレクサ７００から提供された高周波信号を基底帯域のアナログ信号に変換する。
前記アナログ／デジタル変換機７１３は、前記ＲＦ処理機７１１から提供されたアナログ信号をデジタルのサンプルデータに変換して出力する。
前記ＯＦＤＭ復調機７１５は、フーリエ変換を介して前記アナログ／デジタル変換機７１３から提供された時間領域のサンプルデータを周波数領域のデータに変換して出力する。例えば、前記ＯＦＤＭ復調機７１５はＦＦＴ演算機を利用し高速フーリエ変換を遂行する。
前記復号機７１７は、前記ＯＦＤＭ復調機７１５から提供された周波数領域のデータから実際受信しようとする副搬送波らのデータを選択する。この後、前記復号機７１７は、前記選択したデータを予め決められた変調水準（ＭＣＳレベル）に応じて復調及び復号して出力する。ここで、前記変調水準はＭＣＳ（Ｍｏｄｕｌａｔｉｏｎ  ａｎｄ  Ｃｏｄｉｎｇ  Ｓｃｈｅｍｅ）レベルのことをいう。
【００５７】
前記制御部７２０は、サービス領域に位置する端末のチャンネル状態を考慮してサービスを提供する端末で資源を割り当てる。この際、前記制御部７２０は副チャンネル構成部７２１で構成した副チャンネル情報を考慮して前記端末に資源を割り当てる。この際、前記制御部７２０はＦＦＲの割合情報を確認して前記副チャンネル構成部７２１に提供する。
【００５８】
前記副チャンネル構成部７２１は、資源割り当て部７２３とダイバーシティ副チャンネル構成部７２５を含んで構成される。
前記資源割り当て部７２３は、全体の周波数資源から順に周波数再使用係数がＮである領域と周波数再使用係数が１である領域のバンド選択副チャンネルとダイバーシティ副チャンネルのための資源を割り当てる。例えば、前記資源割り当て部７２３は、前記図２の（ｂ）に示されたように、周波数再使用係数がＮである領域のための資源と周波数再使用係数が１である領域のバンド選択副チャンネルとダイバーシティ副チャンネルのためのＰＲＵらを選択して割り当てる。この際、前記資源割り当て部７２３は前記制御部７２０から提供されたＦＦＲの割合に応じて周波数再使用係数がＮである領域の資源を割り当てる。
【００５９】
前記ダイバーシティ副チャンネル構成部７２５は、ダイバーシティ副チャンネルのために割り当てた資源に対してＰＲＵ単位で順列を遂行して、ＰＲＵ単位のダイバーシティ副チャンネルを構成する。
この後、前記ダイバーシティ副チャンネル構成部７２５は、トーン単位の順列又はタイル単位の順列を追加的に遂行して、トーン単位のダイバーシティ副チャンネル又はタイル単位のダイバーシティ副チャンネルを構成する。例えば、周波数再使用係数がＮである領域のダイバーシティ副チャンネルを構成する場合、前記ダイバーシティ副チャンネル構成部７２５は周波数再使用係数がＮである領域の資源をＮ個のグループに分割する。この後、前記ダイバーシティ副チャンネル構成部７２５は、各々のグループ別にＰＲＵ単位のダイバーシティ副チャンネルとトーン単位のダイバーシティ副チャンネルを構成する。この際、前記ダイバーシティ副チャンネル構成部７２５は、各々のグループ別にバンド選択副チャンネルを構成することもできる。
【００６０】
他の例を挙げると、周波数再使用係数がＮである領域の資源をＮ個のグループに分割した後、前記ダイバーシティ副チャンネル構成部７２５は各々のグループ別にＰＲＵ単位のダイバーシティ副チャンネルとタイル単位のダイバーシティ副チャンネルを構成する。この際、前記ダイバーシティ副チャンネル構成部７２５は、各々のグループ別にＰＲＵ単位のダイバーシティ副チャンネルとタイル単位のダイバーシティ副チャンネルを構成する。この際、前記ダイバーシティ副チャンネル構成部７２５は、各々のグループ別にバンド選択副チャンネルを構成することもできる。
【００６１】
前記送信機７３０は、復号機７３１、ＯＦＤＭ変調機７３３、デジタル／アナログ変換機７３５及びＲＦ処理機７３７を含んで構成される。また、図示されていないが、前記送信機７３０はメッセージ生成機を含む。前記メッセージ生成機は、副チャンネルの構成情報を含む放送情報のメッセージを生成する。ここで、前記副チャンネルの構成情報は、ＦＦＴの割合とバンド選択副チャンネルに割り当てたＰＲＵの個数情報を含む。
前記復号機７３１は、前記制御部７２０から割り当てられた資源を利用し、端末に伝送する信号を該当する変調水準に応じて符号化及び変調して出力する。
前記ＯＦＤＭ変調機７３３は、逆フーリエ変換を介して前記復号機７３１から提供された周波数領域のデータを時間領域のサンプルデータ（ＯＦＤＭシンボル）に変換して出力する。例えば、前記ＯＦＤＭ変調機７３３は、ＩＦＦＴ演算機を利用して逆フーリエ変換を遂行する。
前記デジタル／アナログ変換機７３５は、前記ＯＦＤＭ変調機７３３から提供された前記サンプルデータをアナログ信号に変換して出力する。
前記ＲＦ処理機７３７は、前記デジタル／アナログ変換機７３５から提供された基底帯域のアナログ信号を高周波信号に変換して出力する。
【００６２】
図示されていないが、前記基地局の副チャンネル構成部７２１は、バンド選択副チャンネルを構成するバンド選択副チャンネル構成部を更に含むことができる。例えば、前記バンド選択副チャンネル構成部は、下記図８又は図９に示されたようにバンド選択副チャンネルを構成する。
上述したように、基地局はバンド選択副チャンネルのために選択したサブバンドを除いたＰＲＵらを利用しダイバーシティ副チャンネルを構成する。この際、基地局は下記図８に示されたようにバンド選択副チャンネルを構成する。
【００６３】
図８は、本発明の他の実施の形態による無線通信システムにおける副チャンネルの構造を示した図である。
前記図８を参照すると、前記図８の（ａ）に示されたように物理チャンネルの全体の周波数帯域は多数個のＰＲＵから構成される。ここで、隣接した多数個のＰＲＵは１つのサブバンドに構成される。
前記図８の（ｂ）に示されたように、基地局は全体の周波数帯域からバンド選択副チャンネルのためのサブバンドを選択する。例えば、基地局は下記＜数式１０＞を利用してバンド選択副チャンネルのためのサブバンドを選択する。ここで、基地局はバンド選択副チャンネルのために３つのサブバンドを選択すると仮定して説明する。
【００６４】
【数１７】
0005529763.tif 000018
【００６５】
ここで、前記Ｎｔｏｔ＿ｂａｎｄは副チャンネルを構成するために使用する全体の周波数帯域に含まれるサブバンドの個数を示しており、前記Ｎｒｅｓ＿ｂａｎｄはバンド選択副チャンネルのために選択するサブバンドの個数を示しており、前記Ｎｂａｎｄは１つのサブバンドに含まれるＰＲＵの個数を示しており、前記ｐ（ｘ）とｑ（ｘ）は一定のパターン（Ｕｎｉｆｏｒｍ）にサブバンドが選択されるようにする変数を示しており、前記ｘはバンド選択副チャンネルのために選択されたサブバンドに含まれるＰＲＵらの個数と同じ範囲の変数を示している。
前記＜数式１０＞の前記ｐ（ｘ）とｑ（ｘ）は下記＜数式１１＞のように生成する。
【００６６】
【数１８】
0005529763.tif 000019
【００６７】
ここで、前記ｐ（ｘ）とｑ（ｘ）は、一定のパターンにサブバンドが選択されるようにする変数を示しており、前記Ｎｂａｎｄは１つのサブバンドに含まれるＰＲＵの個数を示しており、前記ｘはバンド選択副チャンネルのために選択されたサブバンドに含まれるＰＲＵらの個数と同じ範囲の変数を示している。
【００６８】
前記図８の（ｃ）に示されたように、前記基地局はバンド選択副チャンネルを構成するために選択したサブバンドのうちｔ個のサブバンドでバンド選択副チャンネルを構成する。もし、バンド選択副チャンネルのために選択したサブバンドのうち、バンド選択副チャンネルを構成した後に残ったサブバンドが存在する場合、前記基地局は残ったサブバンドをダイバーシティ副チャンネルのための資源として割り当てる。ここで、前記ｔは各々の基地局ごとにバンド選択副チャンネルの使用量に応じて互いに異なる値に設定することができる。
【００６９】
また、前記基地局はバンド選択副チャンネルを構成するためのサブバンドとして選択されなかったＰＲＵらをＮ２単位の順列を介してランダムに混ぜる。例えば、基地局は下記＜数式１２＞を利用してＮ２単位の順列を遂行する。ここで、前記Ｎ２は周波数帯域によって１又は２の値に設定される。また、前記Ｎ２単位の順列は全てのセル及びセクタに同一に適用される。
【００７０】
【数１９】
0005529763.tif 000020
【００７１】
ここで、ｐ（ｘ）とｑ（ｘ）は一定のパターンにサブバンドが選択されるようにする変数を示しており、前記Ｎｂａｎｄは１つのサブバンドに含まれるＰＲＵの個数を示しており、前記Ｎ２は順列を遂行するための単位を示している。また、前記ＢＲＯｋ（ｙ）はｙに対するｋのビート値の逆数を示している。例えば、ＢＲＯ３（６）は３（＝０１１（２））を示している。
前記＜数式１２＞の前記ｐ（ｘ）とｑ（ｘ）は下記＜数式１３＞のように生成される。
【００７２】
【数２０】
0005529763.tif 000021
【００７３】
ここで、前記ｐ（ｘ）とｑ（ｘ）は一定のパターンにサブバンドが選択されるようにする変数を示しており、前記Ｎｔｏｔ＿ｂａｎｄは副チャンネルを構成するのに使用される全体の周波数帯域に含まれるサブバンドの個数を示しており、前記Ｎｒｅｓ＿ｂａｎｄはバンド選択副チャンネルのために選択されたサブバンドの個数を示しており、前記ｘはバンド選択副チャンネルのために選択されたサブバンドに含まれるＰＲＵらの個数と同じ範囲の変数を示している。
【００７４】
前記図８の（ｄ）に示されたように、前記基地局は、バンド選択副チャンネルを構成した後に残った資源をＦＦＲの割合に応じて周波数再使用係数が１である領域８００のダイバーシティ副チャンネルと周波数再使用係数がＮである領域８１０に分ける。ここで、前記バンド選択副チャンネルを構成した後に残った資源は、バンド選択副チャンネルを構成した後に残ったサブバンドらとＮ２単位に順列を遂行したＰＲＵらを含む。
この際、前記基地局は周波数再使用係数がＮである領域８１０の資源を、Ｎ個の周波数再使用グループ８１２、８１４、８１６に分割する。例えば、周波数再使用係数が３である場合、前記基地局は周波数再使用係数がＮである領域８１０の資源を３つの周波数再使用グループ８１２、８１４、８１６に分割する。この際、各々の周波数再使用グループ８１２、８１４、８１６は、バンド選択副チャンネルのためのＰＲＵらを選択してバンド選択副チャンネルを構成することもできる。
【００７５】
この後、前記基地局は周波数再使用領域ごとにセル又はセクタの固有のＮ２単位の順列を利用し、ＰＲＵらをランダムに混ぜる。例えば、前記基地局は周波数再使用係数が１である領域８００でダイバーシティ副チャンネルを構成するためのＰＲＵらをＮ２単位の順列を介してランダムに混ぜる。
また、前記基地局は各々の周波数再使用グループ８１２、８１４、８１６でダイバーシティ副チャンネルを構成するための資源を互いに異なるＮ２単位の順列を適用してＰＲＵらをランダムに混ぜる。
【００７６】
前記図８の（ｅ）に示されたように、前記基地局は周波数再使用領域ごとにＰＲＵ単位のダイバーシティ副チャンネルの領域を決定する。この際、前記基地局は周波数再使用領域ごとに互いに異なる割合でＰＲＵ単位のダイバーシティ副チャンネルの領域を決定することができる。例えば、前記基地局は周波数再使用係数が１である領域８００において、ダイバーシティ副チャンネルを構成するためのＰＲＵのうち４つのＰＲＵをＰＲＵ単位のダイバーシティ副チャンネル領域として決定する。また、前記基地局は周波数再使用第１グループ８１２を構成するためのＰＲＵのうち２つのＰＲＵをＰＲＵ単位のダイバーシティ副チャンネル領域として決定する。また、前記基地局は周波数再使用第２グループ８１４を構成するためのＰＲＵのうち１つのＰＲＵをＰＲＵ単位のダイバーシティ副チャンネル領域として決定する。
【００７７】
ＰＲＵ単位のダイバーシティ副チャンネル領域を決定した後、前記基地局は周波数再使用領域別にＰＲＵ単位のダイバーシティ副チャンネルに割り当てた後に残ったＰＲＵらをトーン単位のダイバーシティ副チャンネル領域又はタイル単位のダイバーシティ副チャンネル領域に決定する。この際、前記基地局はトーン単位のダイバーシティ副チャンネル領域に決定されたＰＲＵらをトーン単位の順列を介してランダムに混ぜる。例えば、前記基地局はＰＲＵ単位のダイバーシティ副チャンネルのためのＰＲＵとして選択した後に残ったＰＲＵらを順に整列する。この際、前記基地局は周波数再使用領域別に互いに異なるトーン単位の順列を適用することができる。
一方、前記基地局は、タイル単位のダイバーシティ副チャンネル領域に決定されたＰＲＵをタイル単位の順列を介してランダムに混ぜる。例えば、前記基地局は、ＰＲＵ単位のダイバーシティダイバーシティ副チャンネルのためのＰＲＵとして選択した後に残ったＰＲＵを順に整列する。この際、前記基地局は周波数再使用領域別に互いに異なるタイル単位の順列を適用することができる。
【００７８】
基地局は周波数再使用係数が１である領域８００及び周波数再使用グループ８１２、８１４、８１６から、Ｎ２単位の順列を介してＰＲＵ単位のダイバーシティ副チャンネルを構成するためのＰＲＵらをランダムに抽出する。この後、前記基地局はＮ２単位の順列を介し、抽出した後に残ったＰＲＵらをトーン単位のダイバーシティ副チャンネルとタイル単位のダイバーシティ副チャンネルのうち少なくとも１つのダイバーシティ副チャンネルに割り当てることができる。
基地局は下記図９に示されたように、バンド選択副チャンネルとダイバーシティ副チャンネルを構成することもできる。
【００７９】
図９は、本発明の更に他の実施例による無線通信システムの副チャンネルの構造を示す図である。
前記図９を参照すると、前記図９の（ａ）に示されたように、物理チャンネルの全体周波数帯域は多数個のＰＲＵから構成される。ここで、隣接した多数個のＰＲＵは１つのサブバンドに構成される。
前記図９の（ｂ）に示されたように、基地局は全体周波数帯域のサブバンドらをＮ１単位の順列を介してランダムに混ぜる。例えば、基地局は下記＜数式１４＞を利用してＮ１単位の順列を遂行する。ここで、前記Ｎ１単位の順列は全てのセクタ及びセルに同一に適用される。また、前記Ｎ１単位はサブバンド単位を示している。
【００８０】
【数２１】
0005529763.tif 000022
【００８１】
ここで、前記Ｎｔｏｔ＿ｂａｎｄは副チャンネルを構成するために使用する全体周波数帯域に含まれるサブバンドの個数を示しており、前記Ｎｒｅｓ＿ｂａｎｄはバンド選択副チャンネルのために選択するサブバンドの個数を示しており、前記Ｎｂａｎｄは１つのサブバンドに含まれるＰＲＵの個数を示しており、前記ｐ（ｘ）、ｑ（ｘ）及びｈ（ｘ）は一定のパターンにサブバンドが選択されるようにする変数を示しており、前記ｘはバンド選択副チャンネルのために選択されたサブバンドらに含まれるＰＲＵの個数と同じ範囲の変数を示している。
前記＜数式１４＞によって、基地局はバンド選択副チャンネルとして選択するサブバンドの個数によってＮ１単位の順列方式を決定する。
前記＜数式１４＞の前記ｐ（ｘ）、ｑ（ｘ）及びｈ（ｘ）は下記＜数式１５＞のように生成される。
【００８２】
【数２２】
0005529763.tif 000023
【００８３】
ここで、前記ｐ（ｘ）、ｑ（ｘ）及びｈ（ｘ）は一定のパターンにサブバンドが選択されるようにする変数を示しており、前記Ｎｂａｎｄは１つのサブバンドに含まれるＰＲＵの個数を示しており、前記ｘはバンド選択副チャンネルのために選択されたサブバンドらに含まれるＰＲＵの個数と同じ範囲の変数を示しており、前記Ｎｒｅｓ＿ｂａｎｄはバンド選択副チャンネルのために選択するサブバンドの個数を示している。
他の例を挙げると、基地局は下記＜数式１６＞を利用し、Ｎ１単位の順列を遂行する。
【００８４】
【数２３】
0005529763.tif 000024
【００８５】
ここで、前記Ｎｄｉｓｔはサブバンド単位の順列を介して混ぜられた隣接したサブバンドの間におけるサブバンド単位の距離を示しており、前記Ｎｂａｎｄは１つのサブバンドに含まれるＰＲＵの個数を示しており、前記ｐ（ｘ）、ｑ（ｘ）及びｈ（ｘ）は一定のパターンにサブバンドが選択されるようにする変数を示しており、前記ｘはバンド選択副チャンネルのために選択されたサブバンドに含まれるＰＲＵの個数と同じ範囲の変数を示している。
前記＜数式１６＞によって、基地局はバンド選択副チャンネルとして選択するサブバンドの個数によってＮ１単位の順列方式を決定する。
前記＜数式１６＞の前記ｐ（ｘ）、ｑ（ｘ）及びｈ（ｘ）は下記＜数式１７＞のように生成される。
【００８６】
【数２４】
0005529763.tif 000025
【００８７】
ここで、前記ｐ（ｘ）、ｑ（ｘ）及びｈ（ｘ）は一定のパターンにサブバンドが選択されるようにする変数を示しており、前記Ｎｂａｎｄは１つのサブバンドに含まれるＰＲＵの個数を示しており、前記ｘはバンド選択副チャンネルのために選択されたサブバンドらに含まれるＰＲＵの個数と同じ範囲の変数を示しており、前記ＮｓはＮｄｉｓｔに含まれるサブバンドの個数を示している。ここで、前記Ｎｓは下記＜数式１８＞のように示すことができる。
【００８８】
【数２５】
0005529763.tif 000026
【００８９】
ここで、前記ＮｓはＮｄｉｓｔに含まれるサブバンドの個数を示しており、前記Ｎｔｏｔ＿ｂａｎｄは副チャンネルを構成するために使用される全体周波数帯域に含まれるサブバンドの個数を示しており、前記Ｎｄｉｓｔはサブバンド単位の順列を介して混ぜられた隣接したサブバンドの間におけるサブバンド単位の距離を示している。
前記Ｍ＜数式１６＞と＜数式１８＞のＮｄｉｓｔは下記＜数式１９＞のように算出することができる。
【００９０】
【数２６】
0005529763.tif 000027
【００９１】
ここで、前記Ｎｄｉｓｔはサブバンド単位の順列を介して混ぜられた隣接したサブバンドの間におけるサブバンド単位の距離を示しており、前記Ｎｔｏｔ＿ｂａｎｄは副チャンネルを構成するために使用する全体周波数帯域に含まれるサブバンドの個数を示しており、前記Ｎｒｅｓは下記＜数式２１＞又は＜数式２２＞のようにＮｒｅｓ＿ｂａｎｄ値によって決定される変数を示している。
前記＜数式１９＞によってバンド選択副チャンネルのために選択するサブバンドの個数（Ｎｒｅｓ＿ｂａｎｄ）が多くなっても、サブバンド単位の順列を介して混ぜられた隣接したサブバンドの間における距離は最小サブバンド単位の２倍になるように設定される。これによって、前記＜数式１９＞の２は基地局から設定したサブバンド単位の順列を介して混ぜられた隣接したサブバンドの間における最小距離によって変更されることができる。
また、前記＜数式１６＞と＜数式１８＞のＮｄｉｓｔは下記＜数式２０＞のように算出することもできる。
【００９２】
【数２７】
0005529763.tif 000028
【００９３】
ここで、前記Ｎｄｉｓｔはサブバンド単位の順列を介して混ぜられた隣接したサブバンドの間におけるサブバンド単位の距離を示しており、前記Ｎｔｏｔ＿ｂａｎｄは副チャンネルを構成するために使用する全体周波数帯域に含まれるサブバンドの個数を示しており、前記Ｎｒｅｓは下記＜数式２１＞又は＜数式２２＞のようにＮｒｅｓ＿ｂａｎｄ値によって決定される変数を示している。
【００９４】
【数２８】
0005529763.tif 000029
【００９５】
ここで、前記Ｎｒｅｓはサブバンド単位の順列を介して混ぜられた隣接したサブバンドの間における距離は、最小サブバンド単位の２倍になるよう設定するためにＮｒｅｓ＿ｂａｎｄ値によって設定される変数を示しており、前記Ｎｒｅｓ＿ｂａｎｄはバンド選択副チャンネルのために選択するサブバンドの個数を示している。
前記＜数式２１＞によって基地局はバンド選択副チャンネルのために選択するサブバンドの個数が少なくなっても、ダイバーシティ副チャンネルを生成する際、周波数のダイバーシティ次数が最小４以上になるよう保障する。これによって、前記＜数式２１＞の４は基地局が最小限に保障する周波数のダイバーシティ次数によって変更されることもできる。
【００９６】
【数２９】
0005529763.tif 000030
【００９７】
ここで、前記Ｎｒｅｓはサブバンド単位の順列を介して混ぜられた隣接したサブバンドの間における距離は、最小サブバンド単位の２倍になるように設定するためにＮｒｅｓ＿ｂａｎｄ値によって決定される変数を示しており、前記Ｎｒｅｓ＿ｂａｎｄはバンド選択副チャンネルのために選択するサブバンドの個数を示している。
前記＜数式１４＞又は＜数式１６＞を利用してＮ１単位の順列を遂行した後、前記基地局はＮｒｅｓ＿ｂａｎｄ個のサブバンドをバンド選択副チャンネルのための資源として選択する。この際、前記基地局は周波数再使用係数が１である領域９００のバンド選択副チャンネルのための資源を選択する。
【００９８】
前記図９の（ｃ）に示されたように、前記基地局はバンド選択副チャンネルのために選択したＮｒｅｓ＿ｂａｎｄ個のサブバンドのうちｔ個のサブバンドからバンド選択副チャンネルを構成する。もし、バンド選択副チャンネルのために選択したサブバンドらのうち、バンド選択副チャンネルを構成した後に残ったサブバンドが存在する場合、前記基地局は残ったサブバンドをダイバーシティ副チャンネルのための資源として割り当てる。ここで、前記ｔは各々の基地局ごとにバンド選択副チャンネルの使用量に応じて互いに異なる値に設定することができる。
また、前記基地局はバンド選択副チャンネルを構成するためのサブバンドとして選択されなかったＰＲＵらをＮ２単位の順列を介してランダムに混ぜる。例えば、基地局は前記＜数式１２＞を利用してＮ２単位の順列を遂行する。ここで、前記Ｎ２は周波数帯域によって１又は２の値に設定される。また、前記Ｎ２単位の順列は全てのセル又はセクタに同一に適用される。
【００９９】
前記図９の（ｄ）に示されたように、前記基地局はバンド選択副チャンネルを構成した後に残った資源をＦＦＲの割合に応じて周波数再使用係数が１である領域９００のダイバーシティ副チャンネルと周波数再使用係数がＮである領域９１０のダイバーシティ副チャンネルに分ける。ここで、バンド選択副チャンネルを構成した後に残った資源はバンド選択副チャンネルを構成した後に残ったサブバンドらとＮ２単位に順列を遂行したＰＲＵらを含む。
この際、前記基地局は周波数再使用係数がＮである領域９１０の資源をＮ個の周波数再使用グループ９１２、９１４、９１６に分割する。例えば、周波数再使用係数が３である場合、前記基地局は周波数再使用係数がＮである領域９１０の資源を３つの周波数再使用グループ９１２、９１４、９１６に分割する。この際、各々の周波数再使用グループ９１２、９１４、９１６はバンド選択副チャンネルのためのＰＲＵらを選択してバンド選択副チャンネルを構成することもできる。
【０１００】
この後、前記基地局は周波数再使用領域ごとにセル又はセクタの固有のＮ２単位の順列を利用しＰＲＵらをランダムに混ぜる。例えば、前記基地局は周波数再使用係数が１である領域９００において、ダイバーシティ副チャンネルを構成するためのＰＲＵらをＮ２単位の順列を介してランダムに混ぜる。また、前記基地局は各々のグループ９１２、９１４、９１６に互いに異なるＮ２単位の順列を適用してＰＲＵらをランダムに混ぜる。
【０１０１】
前記図９の（ｅ）に示されたように、前記基地局は周波数再使用領域ごとにＰＲＵ単位のダイバーシティ副チャンネルの領域を決定する。この際、前記基地局は周波数再使用領域ごとに互いに異なる割合でＰＲＵ単位のダイバーシティ副チャンネルの領域を決定することができる。例えば、前記基地局は周波数再使用係数が１である領域９００において、ダイバーシティ副チャンネルを構成するためのＰＲＵのうち４つのＰＲＵをＰＲＵ単位のダイバーシティ副チャンネル領域として決定する。また、前記基地局は周波数再使用第１グループ９１２を構成するためのＰＲＵのうち２つのＰＲＵをＰＲＵ単位のダイバーシティ副チャンネル領域として決定する。また、前記基地局は周波数再使用第２グループ９１４を構成するためにＰＲＵのうち１つのＰＲＵをＰＲＵ単位のダイバーシティ副チャンネル領域として決定する。
【０１０２】
この後、前記基地局は周波数再使用領域場別にＰＲＵ単位のダイバーシティ副チャンネルに割り当てた後に残ったＰＲＵらをトーン単位のダイバーシティ副チャンネル領域又はタイル単位のダイバーシティ副チャンネル領域に決定する。この際、前記基地局はトーン単位のダイバーシティ副チャンネル領域に決定されたＰＲＵらをトーン単位の順列を介してランダムに混ぜる。例えば、前記基地局はＰＲＵ単位のダイバーシティ副チャンネルのためのＰＲＵとして選択した後に残ったＰＲＵらを順に整列する。この際、前記基地局は周波数再使用領域別に互いに異なるトーン単位の順列を適用することができる。
一方、前記基地局はタイル単位のダイバーシティ副チャンネル領域として決定されたＰＲＵらをタイル単位の順列を介してランダムに混ぜる。例えば、前記基地局はＰＲＵ単位のダイバーシティ副チャンネルのためのＰＲＵらとして選択した後に残ったＰＲＵらを順に整列する。この際、前記基地局は周波数再使用領域別に互いに異なるタイル単位の順列を適用することができる。
【０１０３】
上述したように、構成された副チャンネルにおいて、ＰＲＵ単位のダイバーシティ副チャンネルはＰＲＵらの運営方案によってＰＲＵ単位のバンド選択副チャンネルに使用されることもできる。つまり、ＰＲＵ単位のダイバーシティ副チャンネルとして使用されるＰＲＵらを１つの端末に割り当てる場合、前記ＰＲＵらはＰＲＵ単位のダイバーシティ副チャンネルとして使用される。しかし、前記ＰＲＵらを各々互いに異なる端末に割り当てる場合、前記ＰＲＵらはＰＲＵ単位のバンド選択副チャンネルとして使用される。
【０１０４】
上述したように、前記基地局は周波数再使用係数が１である領域と周波数再使用係数がＮである領域のダイバーシティ副チャンネルとバンド選択副チャンネルを構成する。
前記基地局からサービスを提供される端末は、前記基地局と同じ副チャンネルを構成する必要がある。従って、前記基地局はサービスを提供する端末が自らと同じ副チャンネルを構成できるよう、副チャンネルの構成情報を端末らに伝送する。例えば、基地局はスーパーフレームヘッダーを介して周期的に伝送する放送情報チャンネルを介して副チャンネルの構成情報を端末に伝送することができる。ここで、前記副チャンネルの構成情報はＦＦＲの割合情報と周波数再使用係数がＮである領域に割り当てたＰＲＵらの位置情報及びバンド選択副チャンネルに割り当てるＰＲＵの個数情報を含む。
これによって、端末は基地局から提供された副チャンネルの構成情報を利用し、サービング基地局と同一に周波数再使用係数が１である領域と周波数再使用係数がＮである領域のダイバーシティ副チャンネルとバンド選択副チャンネルを構成することができる。
【０１０５】
上述したように、無線通信システムにおいて小型資源ユニット単位に資源を分割し、分割した資源をトーン単位の順列と小型資源ユニット単位でダイバーシティチャンネルを構成することで、無線資源からダイバーシティ利得のためのダイバーシティチャンネルを構成することができる。
【０１０６】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、後述する特許請求の範囲だけでなく、この特許請求の範囲と均等なものによって決まらねばならない。
【符号の説明】
【０１０７】
７００  デュプレクサ
７１０  受信機
７１１  ＲＦ処理機
７１３  ＡＤＣ
７１５  ＯＦＤＭ復調機
７１７  復号機
７２０  制御部
７２１  副チャンネル構成部
７２３  資源割り当て部
７２５  ダイバーシティ副チャンネル構成部
７３０  送信機
７３１  復号機
７３３  ＯＦＤＭ変調機
７３５  ＤＡＣ
７３７  ＲＦ処理機
【図１】
0005529763.tif 000031
【図２】
0005529763.tif 000032
【図３】
0005529763.tif 000033
【図４Ａ】
0005529763.tif 000034
【図４Ｂ】
0005529763.tif 000035
【図５Ａ】
0005529763.tif 000036
【図５Ｂ】
0005529763.tif 000037
【図６】
0005529763.tif 000038
【図７】
0005529763.tif 000039
【図８】
0005529763.tif 000040
【図９】
0005529763.tif 000041